(57)【要約】【課題】コ字枠状に形成されて、ガラスを取り外した既存サッシ枠の額縁に着脱自在に取り付けられるベース体と、このベース体に固定される新設サッシ枠の構成を採用することにより、既存サッシ枠に新設サッシ枠を取り付けた後に、既存サッシ枠への復旧が可能な、サッシ枠の改修構造とサッシ枠の改修方法を提供する。【解決手段】本発明は、既存サッシ枠に新設サッシ枠を取り付けた後に、既存サッシ枠への復旧が可能なサッシ枠の改修構造であり、コ字枠状に形成されて、ガラスを取り外した既存サッシ枠の額縁に着脱自在に取り付けられるベース体と、このベース体に固定される新設サッシ枠と、から構成されており、ベース体は、既存サッシ枠の額縁の左右に配置される縦方向ベース部と、既存サッシ枠の額縁の上下に配置される横方向ベース部と、から成る。【選択図】図２
2010059664.tif 000002
【特許請求の範囲】
【請求項１】
既存サッシ枠に新設サッシ枠を取り付けた後に、既存サッシ枠への復旧が可能なサッシ枠の改修構造であり、コ字枠状に形成されて、ガラスを取り外した既存サッシ枠の額縁に着脱自在に取り付けられるベース体と、このベース体に固定される新設サッシ枠と、から構成されており、ベース体は、既存サッシ枠の額縁の左右に配置される縦方向ベース部と、既存サッシ枠の額縁の上下に配置される横方向ベース部と、から成ることを特徴とするサッシ枠の改修構造。
【請求項２】
縦方向ベース部は、既存サッシ枠の額縁の寸法に合わせて長さ調節が可能である請求項１に記載のサッシ枠の改修構造。
【請求項３】
既存サッシ枠における額縁の左右に配置される縦方向ベース部により、既存サッシ枠における額縁の上下に配置される横方向ベース部を挟み込んで支持している請求項１または２に記載のサッシ枠の改修構造。
【請求項４】
既存サッシ枠に新設サッシ枠を取り付けた後に、既存サッシ枠への復旧が可能なサッシ枠の改修方法であり、コ字枠状に形成されたベース体を、ガラスを取り外した既存サッシ枠の額縁に着脱自在に取り付ける工程と、このベース体に新設サッシ枠を固定する工程と、から成ることを特徴とするサッシ枠の改修方法。
【請求項５】
コ字枠状に形成されたベース体を、ガラスを取り外した既存サッシ枠の額縁に着脱自在に取り付ける工程は、額縁の上下に配置される横方向ベース部を、縦方向ベース部の両端部により挟み込んで支持しながら、額縁の寸法に合わせて縦方向ベース部の長さを調節し、額縁の左右に縦方向ベース部を突っ張り状態にして固定するものである請求項４に記載のサッシ枠の改修方法。
【発明の詳細な説明】
【技術分野】
【０００１】
本発明は、既存サッシ枠に新設サッシを取り付けた後に、既存サッシ枠への復旧が可能な、サッシ枠の改修構造とサッシ枠の改修方法に関するものである。
【背景技術】
【０００２】
建物における開口部に設置されるサッシとしては、従来より種々の構造のものが存在する。
【０００３】
例えば、図１２に示すように、建物躯体１００における開口部のモルタル部分１０１に、既存サッシ枠１０２を固定したものが一般的である。この既存サッシ枠１０２は、建物躯体１００の開口部に沿って額縁１０３を備えており、この額縁１０３を介してガラス１０４を固定している。
【０００４】
そして、建物のリフォーム時や改装時において、開口部に設置されているサッシを交換する必要が生じた際には、「カバー工法」を用いた作業が行われている。
【０００５】
この「カバー工法」は、図１３に示すように、まず、ガラス１０４を固定している額縁１０３を既存サッシ枠１０２から取り外し、既存サッシ枠１０２に新設サッシ枠１０５を被せるように配置して固定する。そして、新設サッシ枠１０５５の中に、額縁１０３とガラス１０４を嵌め込むものである。
【０００６】
尚、既存サッシ枠１０２に新設サッシ枠１０５を固定する際には、両部材１０２・１０５間に接続枠１０６を配置し、所定の位置において、既存サッシ枠１０２・接続枠１０６・新設サッシ枠１０５にねじ込んで固定するビスを用いたり、それぞれの部材１０２・１０６・１０５を溶接する等の措置が施されている。
【０００７】
この他に、リフォーム用サッシ枠の取付構造として、既存サッシ枠は下既存サッシ枠材に外レール部と、該外レール部よりも高さの高い内レール部とを有しており、リフォーム用サッシ枠の下リフォーム用サッシ枠材は室内外方向略中間の外周に固定部を有しており、下既存サッシ枠材の外レール部上に下リフォーム用サッシ枠材の固定部よりも室内側部分を下地枠を介して間接的に取り付けている技術が存在する。
【特許文献１】特開２００７−１８２７５３号公報
【発明の開示】
【発明が解決しようとする課題】
【０００８】
しかしながら、上述した従来の「カバー工法」を用いた作業においては、以下のような弊害が生じていた。
【０００９】
例えば、改修したサッシを元の状態に戻す必要が生じた場合、「カバー工法」を採用していると、取り付けの際に既存サッシ枠１０２を取り外す等の大がかりな工事が必要となり、また、既存サッシ枠１０２・額縁１０３・ガラス１０４を新たに製作しなければならなかった。
【００１０】
すなわち、「カバー工法」においては、既存サッシ枠１０２に新設サッシ枠１０５を固定する際に、既存サッシ枠１０２・接続枠１０６・新設サッシ枠１０５にねじ込んで固定するビスを用いたり、それぞれの部材１０２・１０６・１０５を溶接する等の措置が施されていることから、既存サッシ枠１０２から新設サッシ枠１０５を取り外したときに、既存サッシ枠１０２に孔や溶接痕等の傷が残ってしまう。
【００１１】
従って、従来の「カバー工法」においては、新設サッシ枠１０５を取り外した後に既存サッシ枠１０２をそのまま継続して使用することができないことが多いのである。
【００１２】
そのため、建物躯体１００における開口部から、孔や溶接痕等の傷が残っている既存サッシ枠１０２を取り外し、別の既存サッシ枠１０２・額縁１０３・ガラス１０４を新たに製作して開口部に取り付けなければならず、改修したサッシを元の状態に戻す作業が非常に面倒であった。
【００１３】
また、改修したサッシを元の状態に戻す作業に時間を要し、作業全体のコストも高いものとなっていた。
【００１４】
さらに、商業テナントビル等のようにサッシの改修が繰り返し必要な場合、同様の理由から、改修したサッシを元の状態に戻す作業が非常に面倒であった。
【００１５】
この他、特許文献１（特開２００７−１８２７５３号公報）に示す技術は、新設の下地枠を、ネジを用いて既存サッシ枠に取り付ける工法であり、基本的に従来の「カバー工法」を採用していることから、改修したサッシを元の状態に戻す作業において、上述した従来の「カバー工法」と同様の弊害が生じていた。
【００１６】
そこで、本発明は、コ字枠状に形成されて、ガラスを取り外した既存サッシ枠の額縁に着脱自在に取り付けられるベース体と、このベース体に固定される新設サッシ枠の構成を採用することにより、既存サッシ枠に新設サッシ枠を取り付けた後に、既存サッシ枠への復旧が可能な、サッシ枠の改修構造とサッシ枠の改修方法を提供することを目的とする。
【課題を解決するための手段】
【００１７】
本発明は、既存サッシ枠に新設サッシ枠を取り付けた後に、既存サッシ枠への復旧が可能なサッシ枠の改修構造であり、コ字枠状に形成されて、ガラスを取り外した既存サッシ枠の額縁に着脱自在に取り付けられるベース体と、このベース体に固定される新設サッシ枠と、から構成されており、ベース体は、既存サッシ枠の額縁の左右に配置される縦方向ベース部と、既存サッシ枠の額縁の上下に配置される横方向ベース部と、から成ることで、上述した課題を解決した。
【００１８】
また、縦方向ベース部は、既存サッシ枠の額縁の寸法に合わせて長さ調節が可能であることで、同じく上述した課題を解決した。
【００１９】
さらに、既存サッシ枠における額縁の左右に配置される縦方向ベース部により、既存サッシ枠における額縁の上下に配置される横方向ベース部を挟み込んで支持していることで、同じく上述した課題を解決した。
【００２０】
この他、本発明は、既存サッシ枠に新設サッシ枠を取り付けた後に、既存サッシ枠への復旧が可能なサッシ枠の改修方法であり、コ字枠状に形成されたベース体を、ガラスを取り外した既存サッシ枠の額縁に着脱自在に取り付ける工程と、  このベース体に新設サッシ枠を固定する工程と、から成ることで、同じく上述した課題を解決した。
【００２１】
また、コ字枠状に形成されたベース体を、ガラスを取り外した既存サッシ枠の額縁に着脱自在に取り付ける工程は、額縁の上下に配置される横方向ベース部を、縦方向ベース部の両端部により挟み込んで支持しながら、額縁の寸法に合わせて縦方向ベース部の長さを調節し、額縁の左右に縦方向ベース部を突っ張り状態にして固定するものであることで、同じく上述した課題を解決した。
【発明の効果】
【００２２】
本発明に係るサッシ枠の改修構造は、コ字枠状に形成されて、ガラスを取り外した既存サッシ枠の額縁に着脱自在に取り付けられるベース体と、このベース体に固定される新設サッシ枠と、から構成されていることから、ガラスを取り外した既存サッシ枠の額縁に、ベース体を介して新設サッシ枠を容易に取り付けることができる。
【００２３】
このとき、新設サッシ枠として、ガラス構造やガラリ構造、また、それらを組み合わせたもの等を自由に選択することができる。そのため、建物のリフォーム時や改装時において、種々の構造の新設サッシ枠をその目的に応じて容易に取り付けることができる。
【００２４】
また、ベース体は、既存サッシ枠の額縁の左右に配置される縦方向ベース部と、既存サッシ枠の額縁の上下に配置される横方向ベース部と、から成ることから、ガラスを取り外した既存サッシ枠の額縁にベース体を容易に取り付けて、縦方向ベース部と横方向ベース部により額縁の全体を覆ったような状態とすることができる。
【００２５】
このとき、縦方向ベース部は、長さ調節が可能であることから、既存サッシ枠の額縁の寸法に合わせて、縦方向ベース部を容易に取り付けることができる。
【００２６】
また、既存サッシ枠における額縁の左右に配置される縦方向ベース部により、既存サッシ枠における額縁の上下に配置される横方向ベース部を挟み込んで支持していることから、この縦方向ベース部により、既存サッシ枠における額縁に横方向ベース部を堅牢に取り付けることができる。
【００２７】
そのため、既存サッシ枠の額縁に、ベース体を介して取り付けた新設サッシ枠が、横方向ベース部と一緒に落下してしまうような事態の発生を回避することができる。
【００２８】
一方、本発明に係るサッシ枠の改修方法は、コ字枠状に形成されたベース体を、ガラスを取り外した既存サッシ枠の額縁に着脱自在に取り付ける工程と、このベース体に新設サッシ枠を固定する工程と、から成ることから、建物のリフォーム時や改装時において、種々の構造の新設サッシ枠を誰もが容易に取り付けることができる。
【００２９】
また、コ字枠状に形成されたベース体を、ガラスを取り外した既存サッシ枠の額縁に着脱自在に取り付ける工程は、額縁の上下に配置される横方向ベース部を、縦方向ベース部の両端部により挟み込んで支持しながら、額縁の寸法に合わせて縦方向ベース部の長さを調節し、額縁の左右に縦方向ベース部を突っ張り状態にして固定することから、既存サッシ枠における額縁に横方向ベース部と縦方向ベース部を堅牢に取り付けることができる。
【００３０】
そのため、既存サッシ枠の額縁に、ベース体を介して取り付けた新設サッシ枠が、縦方向ベース部・横方向ベース部と一緒に落下してしまうような事態の発生を回避することができる。
【００３１】
このとき、額縁と縦方向ベース部・横方向ベース部を固定する具体的な措置は何等施されていない。
【００３２】
そのため、改修したサッシを元の状態に戻す必要が生じた場合、新設サッシ枠を取り外してから、既存サッシ枠の額縁に取り付けている縦方向ベース部と縦方向ベース部を容易に取り外すことができる。
【００３３】
その結果、既存サッシ枠にガラス等を取り付けるだけで、元の状態に復旧できることとなる。
【００３４】
すなわち、本発明に係るサッシ枠の改修構造とサッシ枠の改修方法は、ベース体を介して既存サッシ枠に新設サッシ枠を取り付けるものであり、この既存サッシ枠とベース体に対し、ねじ込んで固定するビスを用いたり、溶接等の措置は何等施されていない。
【００３５】
従って、既存サッシ枠自体に孔や溶接痕等の傷が生じることがないため、既存サッシ枠を再使用することができる。
【００３６】
その結果、改修したサッシを元の状態に戻す再に、既存サッシ枠を交換する必要がなく、その復旧作業を容易に行うことができる。
【００３７】
また、改修したサッシを元の状態に戻す作業を短時間で行い、作業全体のコストも低くすることができる。
【００３８】
さらに、商業テナントビル等のようにサッシの改修が繰り返し必要な場合においても、その復旧作業を容易に行うことができる。
【００３９】
また、サッシを元の状態に戻す際に製作が必要なものがガラスだけとなるため、その復旧作業を容易且つ安価に行うことができる。
【発明を実施するための最良の形態】
【００４０】
本発明は、建物躯体１００における開口部に設置されている既存サッシ枠１０２に新設サッシ枠２を取り付けた後に、既存サッシ枠１０２への復旧が可能なサッシ枠の改修構造である。
【００４１】
具体的には、図1・図２に示すように、既存サッシ枠１０２に着脱自在に取り付けられるベース体１と、このベース体１に固定される新設サッシ枠２と、から構成されている。
【００４２】
既存サッシ枠１０２は、図１２に示すように、建物躯体１００に固定されている。また、既存サッシ枠１０２は、建物躯体１００における開口部に沿って額縁１０３を備えており、この額縁１０３を介して既存サッシ枠１０２にガラス１０４を固定している。
【００４３】
本発明の特徴は、図1・図２に示すように、既存サッシ枠１０２において、ガラス１０４を取り外した状態の額縁１０３にベース体１を着脱自在に取り付け、このベース体１に新設サッシ枠２を固定している点にある。
【００４４】
既存サッシ枠１０２におけるガラス１０４を取り外した状態の額縁１０３に着脱自在に取り付けるベース体１は、図３に示すように、既存サッシ枠１０２における額縁１０３の左右に配置される２本の縦方向ベース部４０と、既存サッシ枠１０２における額縁１０３の上下に配置される２本の横方向ベース部５０と、から成る。
【００４５】
縦方向ベース部４０は、図４（ａ）に示すように、所定の長さを有し、全体がコ字枠状に形成されている。この縦方向ベース部４０の凹部４１を既存サッシ枠１０２における左右の額縁１０３に内側から宛がい、縦方向ベース部４０を左右の額縁１０３に取り付けるのである。このとき、額縁１０３と縦方向ベース部４０を固定する措置は何等施されていない。
【００４６】
また、図４（ｂ）に示すように、縦方向ベース部４０の凹部４１と反対側における長手方向に沿って、略Ｌ字形に折曲した接続片６０を固定している。この接続片６０には、ボルト用の孔６１が複数設けられている。
【００４７】
さらに、縦方向ベース部４０は、既存サッシ枠１０２における額縁１０３の寸法に合わせて、長さ調節可能に形成されている。
【００４８】
具体的には、図４（ａ）（ｂ）に示すように、縦方向ベース部４０の上端部に、スライド部材４２を備えている。このスライド部材４２は、縦方向ベース部４０の外周面を内側に配置できる程度の大きさを有するコ字枠状に形成されている。このスライド部材４２の凹部４３を縦方向ベース部４０に宛がい、スライド部材４２を上下方向に移動可能に取り付けている。
【００４９】
また、縦方向ベース部４０の上端部近傍の両側壁には、所定の長さの縦溝４４を設けている。同様に、スライド部材４２の両側壁にも、所定の長さの縦溝４５を設けている。そして、縦方向ベース部４０の縦溝４４とスライド部材４２の縦溝４５を同一線上に配置し、両縦溝４４・４５にボルト４６とナット４７を取り付けている。
【００５０】
このような構成により、ボルト４６とナット４７を緩めた状態でスライド部材４２を上下方向に移動させ、額縁１０３の寸法に合わせた好ましい位置でボルト４６とナット４７を締め付けて、縦方向ベース部４０の長さを調節している。
【００５１】
加えて、図３・図４（ａ）（ｂ）に示すように、スライド部材４２の上部には、両側壁を上方に向けて延設し、横方向ベース部５０の端部を挟み込んで支持する挟持部４８を形成している。
【００５２】
また、縦方向ベース部４０の下部には、両側壁を下方に向けて延設し、横方向ベース部５０の端部を挟み込んで支持する挟持部４９を形成している。
【００５３】
一方、既存サッシ枠１０２における額縁１０３の上下に配置される２本の横方向ベース部５０は、図５に示すように、所定の長さを有し、全体がコ字枠状に形成されている。この横方向ベース部５０の凹部５１を既存サッシ枠１０２における上下の額縁１０３に内側から宛がい、横方向ベース部５０を上下の額縁１０３に取り付けるのである。このとき、額縁１０３と横方向ベース部５０を固定する措置は何等施されていない。
【００５４】
また、横方向ベース部５０は、図５に示すように、水平壁５２に沿って、新設サッシ枠２を固定するための接続片５３を設けている。この接続片５３は、長尺板部分５４と、この長尺板部分５４の両端部を同一方向に９０度折曲した短尺板部分５５により形成されている。さらに、接続片５３は、新設サッシ枠２を固定するための好ましい高さを有し、長尺板部分５４には、新設サッシ枠２におけるボルト用の孔（２２）に合致する、同様のボルト用の孔５６が複数設けられている。
【００５５】
加えて、短尺板部分５５には、縦方向ベース部４０におけるボルト用の孔に合致する、同様のボルト用の孔５７が設けられている。
【００５６】
尚、図５に示す横方向ベース部５０は、既存サッシ枠１０２における額縁１０３の下方に配置されるものを図示しているが、額縁１０３の上方に配置される横方向ベース部５０も、同一形状である。このとき、額縁１０３の下方に配置される横方向ベース部５０は、図５に示すように、凹部５１が下向き・接続片５３が上向きとなるが、額縁１０３の上方に配置される横方向ベース部５０は、凹部５１が上向き・接続片５３が下向きとなる。
【００５７】
この他、額縁１０３と縦方向ベース部４０を固定する措置、額縁１０３と横方向ベース部５０を固定する措置は何等施されていないが、図３に示すように、上下の額縁１０３に横方向ベース部５０を宛がった状態において、２本の横方向ベース部５０の端部間に２本の縦方向ベース部４０を配置し、縦方向ベース部４０を突っ張り状態にすることから、額縁１０３に縦方向ベース部４０と横方向ベース部５０が固定される。
【００５８】
このとき、２本の縦方向ベース部４０の挟持部４８・４９により、２本の横方向ベース部５０の端部を挟み込んでいる。
【００５９】
この状態で、縦方向ベース部４０のスライド部材４２を移動させ、額縁１０３の寸法に合わせた好ましい位置でボルト４６とナット４７を締め付けることにより、左右の額縁１０３に縦方向ベース部４０を突っ張り状態にして固定する。
【００６０】
その結果、左右の額縁１０３に突っ張り状態に固定した縦方向ベース部４０の挟持部４８・４９により、上下の額縁１０３に宛がっている横方向ベース部５０が額縁１０３に固定されるのである。
【００６１】
そして、図１・図２に示すように、上下の額縁１０３に固定されている横方向ベース部５０と、左右の額縁１０３に固定されている縦方向ベース部４０を介して、新設サッシ枠２が固定される。
【００６２】
この新設サッシ枠２は、図６に示すように、上下における水平部分に、横長の接続片２１を設けている。この接続片２１は、横方向ベース部５０の接続片５３に当接した状態で固定するもので、長尺の板状に形成されている。また、接続片２１には、横方向ベース部５０の接続片５３のボルト用の孔５６に合致する、複数のボルト用の孔２２が設けられている。そして、両孔２２・５６にボルト８を捩じ込んで、横方向ベース部５０に新設サッシ枠２を固定するのである。
【００６３】
さらに、新設サッシ枠２は、左右における垂直部分に、縦長の接続片６２を設けている。この接続片６２は、縦方向ベース部４０の接続片６０に当接した状態で固定するもので、長尺の板状に形成されている。また、接続片６２には、縦方向ベース部４０の接続片６０のボルト用の孔６１に合致する、複数のボルト用の孔６３が設けられている。そして、両孔６３・６１にボルト８を捩じ込んで、縦方向ベース部４０に新設サッシ枠２を固定するのである。
【００６４】
以下に、本発明に係るサッシ枠の改修構造を用いた、サッシ枠の改修方法を説明する。
【００６５】
（コ字枠状に形成されたベース体を、ガラスを取り外した既存サッシ枠の額縁に着脱自在に取り付ける工程）
【００６６】
まず、図７に示すように、既存サッシ枠１０２の額縁１０３からガラス１０４を取り外す。
【００６７】
次に、図８に示すように、コ字枠状に形成されたベース体１を、ガラス１０４を取り外した既存サッシ枠１０２の額縁１０３に着脱自在に取り付ける。
【００６８】
具体的には、横方向ベース部５０の凹部５１を既存サッシ枠１０２における上下の額縁１０３に内側から宛がう。また、縦方向ベース部４０の凹部４１を既存サッシ枠１０２における左右の額縁１０３に内側から宛がう。
【００６９】
このようにして、既存サッシ枠１０２の額縁１０３に、ベース体１を構成する横方向ベース部５０と縦方向ベース部４０を装着し、額縁１０３の全体をベース体１により覆ったような状態とする。
【００７０】
そして、額縁１０３の上下に配置される横方向ベース部５０を、縦方向ベース部４０の挟持部４８・４９により挟み込んで支持しながら、額縁１０３の寸法に合わせて縦方向ベース部４０の長さを調節する。
【００７１】
すなわち、縦方向ベース部４０のスライド部材４２を移動させ、額縁１０３の左右両側に縦方向ベース部４０を突っ張り状態にして額縁１０３に横方向ベース部５０を固定するのである。
【００７２】
このとき、図８に示すように、横方向ベース部５０における短尺板部分５５のボルト用の孔５７と、縦方向ベース部４０におけるボルト用の孔を合致させ、ボルト６を捩じ込むことで、縦方向ベース部４０と横方向ベース部５０の固定状態が堅牢に維持される。
【００７３】
（ベース体に新設サッシ枠を固定する工程）
【００７４】
次に、図２に示すように、新設サッシ枠２を、ベース体１を構成する横方向ベース部５０に固定する。
【００７５】
具体的には、新設サッシ枠２の接続片２１を横方向ベース部５０の接続片５３に当接させる。このとき、新設サッシ枠２の接続片２１のボルト用の孔２２と、横方向ベース部５０の接続片５３のボルト用の孔５６を合致させ、両孔２２・５６にボルト８を捩じ込んで、横方向ベース部５０に新設サッシ枠２を固定するのである。
【００７６】
同様に、新設サッシ枠２の接続片６２を縦方向ベース部４０の接続片６０に当接させ、新設サッシ枠２の接続片６２のボルト用の孔６３と、縦方向ベース部４０の接続片６０のボルト用の孔６１を合致させ、両孔６３・６１にボルト８を捩じ込んで、縦方向ベース部４０に新設サッシ枠２を固定するのである。
【００７７】
尚、改修したサッシを元の状態に戻す必要が生じた場合には、以下の手順により、その復旧が可能となる。
【００７８】
まず、ガラス３を備えている新設サッシ枠２を、ベース体１を構成する横方向ベース部５０と縦方向ベース部４０の接続片５３・６０から取り外す。
【００７９】
次に、縦方向ベース部４０のボルト４６とナット４７を緩めてスライド部材４２を下方向に移動させ、縦方向ベース部４０の突っ張り状態を解除する。
【００８０】
そして、縦方向ベース部４０と横方向ベース部５０を、既存サッシ枠１０２の額縁１０３から取り外す。
【００８１】
最後に、既存サッシ枠１０２の額縁１０３にガラス１０４を取り付ける。
【００８２】
このように、本発明に係るサッシ枠の改修構造とサッシ枠の改修方法によれば、既存サッシ枠１０２に新設サッシ枠２を取り付けた後に、既存サッシ枠１０２への復旧が可能となるものであるが、この新設サッシ枠２に取り付けるものは、窓としての一定の遮蔽効果を有するものであれば特に限定されず、図９に示すガラス３であっても良いし、また、図１０に示すガラリ７であっても良い。
【００８３】
さらに、図１１に示すように、新設サッシ枠２において、ガラス３構造のものとガラリ７構造のものを組み合わせて配置しても良い。
【００８４】
また、新設サッシ枠２には、図６に示すはめ殺し構造のガラス窓ではなく、引き戸を取り付けても良い。引き戸を取り付ける場合は、ベース体１に枠を固定し、枠に額縁を固定し、額縁にガラス３を固定する。引き違いの構造や、ガラス３を固定する構造は、取り付けるサッシが持つ構造をそのまま利用することができる。
【産業上の利用可能性】
【００８５】
本発明は、既存サッシ枠に新設サッシを取り付けた後に、既存サッシ枠への復旧が可能なサッシ枠の改修構造とサッシ枠の改修方法として、様々な建物に広く利用することができる。
【図面の簡単な説明】
【００８６】
【図１】既存サッシ枠におけるガラスを取り外した状態の額縁にベース体を取り付け、このベース体に新設サッシ枠を固定している状態を示す断面図である。
【図２】既存サッシ枠におけるガラスを取り外した状態の額縁にベース体を取り付け、このベース体に新設サッシ枠を固定している状態を示す斜視図である。
【図３】上下２本の横方向ベース部を、左右２本の縦方向ベース部の挟持部により挟み込んで支持している状態（既存サッシ枠の額縁へのベース体の装着状態）を示す斜視図である。
【図４】縦方向ベース部と、その上端部に取り付けるスライド部材の構成を示すもので、（ａ）は縦方向ベース部とスライド部材の構成を、凹部側から見た状態の分解斜視図、（ｂ）は縦方向ベース部とスライド部材の構成を、凹部の反対側から見た状態の分解斜視図である。
【図５】横方向ベース部の構成を示す斜視図である。
【図６】新設サッシ枠の構成を示す斜視図である。
【図７】既存サッシ枠の額縁からガラスを取り外した状態を示す斜視図である。
【図８】既存サッシ枠の額縁にベース体（縦方向ベース部・横方向ベース部）を取り付けた状態（横方向ベース部を縦方向ベース部の挟持部により挟み込んで支持しながら、突っ張り状態となっている状態）を示す斜視図である。
【図９】既存サッシ枠におけるガラスを取り外した状態の額縁にベース体を取り付け、このベース体に新設サッシ枠（ガラス構造）を固定している状態を示す断面図である。
【図１０】既存サッシ枠におけるガラスを取り外した状態の額縁にベース体を取り付け、このベース体に新設サッシ枠（ガラリ構造）を固定している状態を示す断面図である。
【図１１】新設サッシ枠にガラス構造のものとガラリ構造のものを組み合わせて配置している状態を示す立面図である。
【図１２】既存サッシ枠が備えている額縁を介してガラスを固定している従来のサッシの構成を示す断面図である。
【図１３】ガラスを固定している額縁を既存サッシ枠から取り外し、既存サッシ枠に新設サッシ枠を被せるように配置し、ビスや溶接等の措置を施して固定し、この新設サッシ枠の中に額縁とガラスを嵌め込む「カバー工法」の構成を示す断面図である。
【符号の説明】
【００８７】
１…ベース体
２…新設サッシ枠
３…ガラス
６…ボルト
７…ガラリ
８…ボルト
２１…接続片
２２…孔
４０…縦方向ベース部
４１…凹部
４２…スライド部材
４３…凹部
４４…縦溝
４５…縦溝
４６…ボルト
４７…ナット
４８…挟持部
４９…挟持部
５０…横方向ベース部
５１…凹部
５２…水平壁
５３…接続片
５４…長尺板部分
５５…短尺板部分
５６…孔
５７…孔
６０…接続片
６１…孔
６２…接続片
６３…孔
１００…建物躯体
１０１…モルタル部分
１０２…既存サッシ枠
１０３…額縁
１０４…ガラス
１０５…新設サッシ枠
１０６…接続枠
【図１】
2010059664.tif 000003
【図２】
2010059664.tif 000004
【図３】
2010059664.tif 000005
【図４】
2010059664.tif 000006
【図５】
2010059664.tif 000007
【図６】
2010059664.tif 000008
【図７】
2010059664.tif 000009
【図８】
2010059664.tif 000010
【図９】
2010059664.tif 000011
【図１０】
2010059664.tif 000012
【図１１】
2010059664.tif 000013
【図１２】
2010059664.tif 000014
【図１３】
2010059664.tif 000015